(57)【要約】【課題】写真プリント装置において、テストプリントに関する情報を利用して、可及的に作業負担を抑制しながら、装置の異常原因の推定を可能とする。【解決手段】写真感光材料ＰＳ上に画像を露光形成する露光ヘッド２１と、その露光ヘッド２１にて露光された前記写真感光材料ＰＳを現像処理する現像処理装置２３と、テストプリントを作製することにより前記露光ヘッド２１の露光動作を調整する露光管理手段ＥＣとが設けられた写真プリント装置において、前記露光管理手段ＥＣは、前記テストプリントの濃度測定あるいは測色に基づいて得られた装置調整関連情報をデータ保存装置ＤＳに記録保存して蓄積していくように構成され、前記装置調整関連情報の蓄積データに基づいて、装置の異常原因を推定する異常解析手段ＥＡが設けられている。【選択図】図１
2005215098.tif 000002
【特許請求の範囲】
【請求項１】
写真感光材料上に画像を露光形成する露光ヘッドと、その露光ヘッドにて露光された前記写真感光材料を現像処理する現像処理装置と、テストプリントを作製することにより前記露光ヘッドの露光動作を調整する露光管理手段とが設けられた写真プリント装置であって、
前記露光管理手段は、前記テストプリントの濃度測定あるいは測色に基づいて得られた装置調整関連情報をデータ保存装置に記録保存して蓄積していくように構成され、
前記装置調整関連情報の蓄積データに基づいて、装置の異常原因を推定する異常解析手段が設けられている写真プリント装置。
【請求項２】
前記装置調整関連情報は、写真プリント上での基準濃度に対応する基準露光量についての設定情報である請求項１記載の写真プリント装置。
【請求項３】
前記露光ヘッドは、複数色の独立した光源からの光により前記写真感光材料を露光するように構成され、
前記異常解析手段は、前記露光管理手段により蓄積された各露光色毎の前記装置調整関連情報の経時変化に基づいて、異常原因が前記光源に起因するものか、あるいは、前記現像処理装置に起因するものかを推定するように構成されている請求項１又は２記載の写真プリント装置。
【発明の詳細な説明】
【技術分野】
【０００１】
本発明は、写真感光材料上に画像を露光形成する露光ヘッドと、その露光ヘッドにて露光された前記写真感光材料を現像処理する現像処理装置と、テストプリントを作製することにより前記露光ヘッドの露光動作を調整する露光管理手段とが設けられた写真プリント装置に関する。
【背景技術】
【０００２】
かかる写真プリント装置は、露光ヘッドによって写真感光材料上に画像を潜像として露光形成し、現像処理装置にて現像して写真プリントを作製する装置である。
このような形式の写真プリント装置では、露光に使用する光源の状態の経時変化や現像処理装置に使用する化学薬品の状態の経時変化等によって仕上がった写真プリントの品質が変動するため、下記特許文献１に記載のように、テストプリントを作製して、そのテストプリントの濃度測定情報（あるいは測色情報）によって露光条件の調整作業が行われている。
このテストプリントによる装置調整作業は、高い頻度で実施され、一般に、毎日の写真プリント装置の稼働開始時に行われることが多い。
従来、このようなテストプリントを作製しての調整を行った際は、下記特許文献１にも記載のように、そのテストプリントを保存しておき、故障発生時の解析等に利用されている。
【特許文献１】特開平１１−１３３５２２号公報
【発明の開示】
【発明が解決しようとする課題】
【０００３】
しかしながら、上記従来の取扱いでは、装置故障の発生時に、上述のようにして保存しておいたテストプリントを利用しようとすると、サービスマンが各テストプリントを目視で確認するか、又は、各テストプリントの濃度測定若しくは測色を行って、それらの情報から経験的に故障原因の推定を行う必要があり、メンテナンス作業の作業負担が大となっていた。
更に、テストプリントの保存環境が悪いときは、テストプリントの濃度が微妙に変化して、原因判断の材料とすることが適正でないような場合もあり得る。
本発明は、かかる実情に鑑みてなされたものであって、その目的は、テストプリントに関する情報を利用して、可及的に作業負担を抑制しながら、装置の異常原因の推定を可能とする点にある。
【課題を解決するための手段】
【０００４】
本出願の第１の発明は、写真感光材料上に画像を露光形成する露光ヘッドと、その露光ヘッドにて露光された前記写真感光材料を現像処理する現像処理装置と、テストプリントを作製することにより前記露光ヘッドの露光動作を調整する露光管理手段とが設けられた写真プリント装置において、前記露光管理手段は、前記テストプリントの濃度測定あるいは測色に基づいて得られた装置調整関連情報をデータ保存装置に記録保存して蓄積していくように構成され、前記装置調整関連情報の蓄積データに基づいて、装置の異常原因を推定する異常解析手段が設けられている。
【０００５】
すなわち、高い頻度で作製されるテストプリントから得られる情報をデータとして蓄積保存して行くと共に、故障発生時等において、その蓄積データを利用して装置調整の経緯を把握して解析することで、装置の異常原因を推定することができる。
【０００６】
又、本出願の第２の発明は、上記第１の発明の構成に加えて、前記装置調整関連情報を、写真プリント上での基準濃度に対応する基準露光量についての設定情報としている。
すなわち、前記テストプリントの濃度測定あるいは測色に基づいて得られた装置調整関連情報としては、前記テストプリントを濃度測定装置にて測定した濃度データあるいは前記テストプリントを測色装置にて測定した測色データをそのまま用いることも考えられるが、そのようないわゆる生データではなく、その生データに基づいて装置がどのように調整されたかを示す前記設定情報を記録保存して行くのである。
【０００７】
又、本出願の第３の発明は、上記第１の発明又は第２の発明の構成に加えて、前記露光ヘッドは、複数色の独立した光源からの光により前記写真感光材料を露光するように構成され、前記異常解析手段は、前記露光管理手段により蓄積された各露光色毎の前記装置調整関連情報の経時変化に基づいて、異常原因が前記光源に起因するものか、あるいは、前記現像処理装置に起因するものかを推定するように構成されている。
【０００８】
すなわち、画像の露光形成のために複数色の独立光源を有する場合は、夫々の色の光源で個別に経時変化が進行し、写真プリント上における発色に現れる光源の経時変化の影響も各露光色で独立に表れる。
これに対して、現像処理装置における化学薬品の経時変化が写真プリント上の発色に与える影響は、複数の露光色間でそれほど異なるものではない。
従って、写真プリント上の発色の調整に関わる前記装置調整関連情報の経時変化から、異常の発生が光源に起因するものか、あるいは、現像処理装置に起因するものかを切り分けることができる。
【発明の効果】
【０００９】
上記第１の発明によれば、故障発生時等において、前記装置調整関連情報の蓄積データを利用して装置調整の経緯を把握して解析することで、装置の異常原因を推定することができるので、可及的に作業負担を抑制しながら、装置の異常原因の推定できるに至った。
又、上記第２の発明によれば、装置の調整の基礎となった情報ではなく、実際に装置の調整結果に直接関わる情報を記録保存して解析に利用することで、より的確な解析が可能となると共に、解析処理の処理負荷の軽減にも寄与する。
又、上記第３の発明によれば、写真プリント上の発色の調整に関わる前記装置調整関連情報の経時変化から、異常の発生が光源に起因するものか、あるいは、現像処理装置に起因するものかを切り分けることで、より一層的確な異常原因の解析が可能となる。
【発明を実施するための最良の形態】
【００１０】
以下、本発明の写真プリント装置の実施の形態を図面に基づいて説明する。
本実施の形態で例示する写真プリント装置ＤＰは、いわゆるデジタルミニラボと称されるシステムを構成するものであり、図１の概略構成図及び図４の外観斜視図に示すように、現像処理済みの写真フィルムの駒画像を読み取るフィルムスキャナＦＳと、フィルムスキャナＦＳにて読み取った駒画像を写真感光材料ＰＳとしての印画紙２に露光し且つ現像処理する露光・現像装置ＥＰとから構成されている。
【００１１】
〔フィルムスキャナＦＳの概略構成〕
フィルムスキャナＦＳの筐体内には、図２に概略的に示すように、ハロゲンランプ１０と、光ファイバー束にて構成されるライトガイド１１と、写真フィルム１の駒画像を光電変換するＣＣＤラインセンサユニット１３と、写真フィルム１の画像をＣＣＤラインセンサユニット１３上に結像させるためのレンズ１４と、光路を９０度屈曲させるためのミラー１５と、ＣＣＤラインセンサユニット１３の出力信号を増幅及びＡ／Ｄ変換等する信号処理回路１６とが設けられ、更に、ハロゲンランプ１０とライトガイド１１の光入射端との間には、装置調整用のセットアップフィルタ１７が光路に対して出退可能に配置され、このセットアップフィルタ１７を出退駆動するためにモータ１８が備えられている。
【００１２】
フィルムスキャナＦＳの筐体外部には、ライトガイド１１の光出射端の下方に位置する駒画像読取り位置を経由して写真フィルム１を搬送操作するフィルムキャリア１２が着脱自在に備えられている。
ＣＣＤラインセンサユニット１３は、約５０００個のＣＣＤ素子を写真フィルム１の幅方向に配列したＣＣＤラインセンサを３列に並べて備えており、各ＣＣＤラインセンサの受光面には夫々赤色、緑色、青色のカラーフィルタが形成されて、写真フィルム１の駒画像を色分解して検出する。
フィルムスキャナＦＳでは、フィルムキャリア１２に写真フィルム１がセットされると、写真フィルム１の搬送が開始され、駒画像が順次読み取られて、赤色、緑色、青色毎のデジタル画像データとして露光・現像装置ＥＰに出力される。
【００１３】
〔露光・現像装置ＥＰの全体構成〕
露光・現像装置ＥＰは、図４に示すように、フィルムスキャナＦＳとは別体で構成されており、筐体内部には、印画紙２に画像を露光形成する露光ヘッド２１及び露光ヘッド２１を制御する露光制御装置２２により構成される露光装置ＥＸと、露光ヘッド２１にて露光された印画紙２を現像処理する現像処理装置２３と、現像処理装置２３にて現像処理された印画紙２を乾燥する乾燥装置２４と、印画紙マガジン８から引き出された印画紙２を露光ヘッド２１による露光箇所及び現像処理装置２３を経て乾燥装置２４へ搬送するために多数の搬送ローラ３１〜３６を備えて構成される印画紙搬送系ＰＴと、印画紙搬送系ＰＴの搬送経路における露光装置ＥＸの露光箇所よりも搬送方向上流側に配置されて長尺の印画紙を設定プリントサイズに切断するためのカッタ２８とが設けられ、筐体外部には、現像処理装置２３にて現像された印画紙２をオーダ毎に一時的に保存するためのベルトコンベア式のソータ２５と、乾燥装置２４から排出された印画紙２（写真プリントとして仕上がった印画紙２）をソータ２５へ搬送する排出コンベア２６とが設けられ、更に、写真プリント装置ＤＰ全体を制御する主制御装置２７が筐体内に設けられている。
【００１４】
主制御装置２７には、写真プリントのシミュレート画像や各種の制御情報を表示するためのモニタ２７ａと、操作者が露光条件の補正量その他の情報を指示入力するための操作卓２７ｂと、ＭＯドライブ装置やＣＤ−Ｒドライブ装置等の外部入出力装置２７ｃと、データ保存装置ＤＳとして機能するハードディスク装置２７ｄとが接続され、更に、後述するテストプリントを測色するための測色装置３０が接続されている。外部入出力装置２７ｃを備えることによって、フィルムスキャナＦＳから入力された写真フィルムの画像データ以外に、ＣＤ−Ｒメディア等の各種の記録媒体に記録された画像データによって写真プリントを作製することができると共に、フィルムスキャナＦＳにて読み取った画像データをそれらの記録媒体に記録保存することができる。
【００１５】
〔露光ヘッド２１の構成〕
露光ヘッド２１は、複数色（具体的には、赤色，緑色及び青色）の独立したレーザ光源を備えて、それらのレーザ光源から出射されるレーザビームにて印画紙２上に画像を露光形成するいわゆるレーザ露光式を採用しており、その概略構成を図３のブロック構成図に示す。
露光ヘッド２１には、赤色，緑色及び青色のレーザ光を夫々出射する赤色レーザ光源４０ｒ，緑色レーザ光源４０ｇ及び青色レーザ光源４０ｂと、各レーザ光源４０ｒ，４０ｇ，４０ｂの出射光を強度変調するための音響光学変調素子４１（以下、「ＡＯＭ素子４１」と略称する）と、各レーザ光源４０ｒ，４０ｇ，４０ｂから出射されるレーザビームＬＢのビーム径を調整するためのビームエキスパンダ４２と、シリンドリカルレンズ４３と、赤色，緑色及び青色の３本のレーザビームＬＢの光軸を１本の光軸にまとめるプリズム４４と、レーザビームＬＢを走査するためのポリゴンミラー４５と、ｆ−θ特性と面倒れ補正機能とを有する結像レンズ群４６とが備えられる他、レーザビームＬＢの光路を屈曲させるミラー４７やプリズム４４へ入射する光を規制するアパーチャ４８が配置されている。レーザビームＬＢの走査方向（主走査方向）は、印画紙２の搬送方向と直交する方向となるように露光ヘッド２１が配置されている。
【００１６】
〔露光制御装置２２の構成〕
露光制御装置２２には、図３に概略的に示すように、主制御装置２７から入力される写真フィルム１の駒画像等の画像データをレーザビームＬＢの光エネルギーに対応するデータに変換するルックアップテーブル３５と、ルックアップテーブル３５の出力データを赤色，緑色及び青色の各色毎に記憶する画像データメモリ３６と、赤色，緑色及び青色の各色毎に備えられて画像データメモリ３６の出力データをＤ／Ａ変換するＤ／Ａコンバータ３７と、Ｄ／Ａコンバータ３７からの入力信号に応じた振幅を有する制御信号をＡＯＭ素子４１に出力するＡＯＭ制御回路３８とが備えられている。
【００１７】
ルックアップテーブル３５の出力データビット数は各色１２ビットで、入力データビット数は各色８ビットで構成され、出力データビット数が入力データビット数よりも大となるように構成されている。
ルックアップテーブル３５の出力データは上述のようにレーザビームＬＢの光エネルギーに対応するデータ（光エネルギーの対数値に相当）であるが、厳密には、ＡＯＭ素子４１における回折率（いわば、光の透過率）を規定するデータであり、ルックアップテーブル３５の出力値が一定であっても、レーザ光源４０ｒ，４０ｇ，４０ｂの出射光量が変動すると、レーザビームＬＢの光エネルギーが変動する。例えば、レーザ光源４０ｒ，４０ｇ，４０ｂの出射光量が低下すると、写真プリント上で同じ濃度を得るには、ルックアップテーブル３５の出力値を大きくしてＡＯＭ素子４１の光の透過率を大きくする必要がある。
【００１８】
〔テストプリントによる装置調整の概略説明〕
本実施の形態の写真プリント装置ＤＰでは、顧客からの依頼によって通常の写真プリントを順次にプリントさせる通常プリントモードと、色調整用のテストプリントをプリントさせるテストプリントモードとに動作設定可能に構成されている。
前記テストプリントモードは、写真プリント装置ＤＰを店舗等に設置したときや新たな種類の印画紙２を使用するときに初期設定作業として行われるいわゆるイニシャルセットアップの一環として、並びに、原則として日々の装置稼働開始時に実行される装置調整であるデイリーセットアップ作業の一環として実行され、更に、任意のタイミングで操作卓２７ｂから前記テストプリントモードを指示することによっても実行できる。
このテストプリントモードでは、主制御装置２７は、テストプリントを作製するために予め設定されている画像データによって無彩色の所定の濃度階調パターン（グレースケール）を有する画像のテストプリントを作製する。
【００１９】
このテストプリントを作製してのセットアップ処理は、主制御装置２７の制御により実行される。
上記イニシャルアップと上記デイリーセットアップとにおける基本的な処理手順は共通であり、主制御装置２７が実行する図５のフローチャートに示すように、先ずテストプリントを作製し（ステップ＃１）、作製したテストプリントを操作者が測色装置３０にセットすると自動的にそのテストプリントの測色が行われる。
このテストプリントの測色結果が測色装置３０から主制御装置２７へ入力されると（ステップ＃２）、主制御装置２７はその入力データに基づいて露光条件を補正する（ステップ＃３）。
この補正処理は、濃度階調パターンの各階調の測色データと夫々の調整目標値との偏差から各濃度階調についてのデータ修正値を求めて、適宜に補間処理を行いながら、ルックアップテーブル３５のテーブルデータを修正する。
【００２０】
上記補正処理の後、その補正の結果得られる濃度階調の中央値に対応するルックアップテーブル３５の出力値（センター光量）を各露光色のデータについてデータ保存装置ＤＳであるハードディスク装置２７ｄへ記録保存する（ステップ＃４）。前記センター光量のデータの保存形態は、イニシャルセットアップ時の保存データを始点として同一感材条件上での一連のデイリーセットアップの保存データを時系列に１ファイルにまとめて保存する形態をとる。
すなわち、本実施の形態では、主制御装置２７は、濃度階調の中央値を写真プリント上での基準濃度として、その基準濃度に対応する基準露光量の設定情報である前記センター光量を、テストプリントの測色に基づいて得られた装置調整関連情報として記録保存して蓄積しているのである。
【００２１】
〔異常解析処理の説明〕
本実施の形態の写真プリント装置ＤＰでは、セットアップ時に保存した前記センター光量のデータを利用して、写真プリント装置ＤＰの動作状態の異常解析を行い、異常原因を推定する機能を有している。
この機能は、主制御装置２７が図６及び図７のフローチャートで示す処理を実行することにより実現され、主には、故障発生時にサービスマンが操作卓２７ｂから図６及び図７に示す処理を起動して装置修理の一助とすることを想定しているが、セットアップ処理の度毎に自動的に実行するように設定しても良い。
【００２２】
先ず、異常解析の概要を説明する。
主制御装置２７にて実行される異常解析は、時系列で連続する２回分のデイリーセットアップでの前記センター光量の保存データの対比、各回のデイリーセットアップでの前記センター光量の保存データ自体、及び、イニシャルセットアップでの前記センター光量の保存データと各回のデイリーセットでの保存データとの対比により、以下の判定１〜判定５の５種類の判定を、各回（２回目以降）のデイリーセットアップでの前記センター光量の保存データに対して順次に実行する。
すなわち、前記センター光量の経時変化に基づいて異常原因を推定するのである。
【００２３】
〔判定１〕
上記判定１では、イニシャルセットアップでの前記センター光量の保存データと、各回のデイリーセットアップでの前記センター光量の保存データとを、各露光色毎に対比判断する。
判定１の具体的な判断は、各露光色毎に、判定対象の回のデイリーセットアップの前記センター光量が、光エネルギー換算でイニシャルセットアップ時のａ倍（ａ＞１）を超える増加となったときに、そのａ倍を超えた露光色のレーザ光源が寿命であると判断する。
【００２４】
〔判定２〕
上記判定２も、イニシャルセットアップでの前記センター光量の保存データと、各回のデイリーセットアップでの前記センター光量の保存データとを、各露光色毎に対比判断する。
判定２の具体的な判断は、各露光色のいずれかが、判定対象の回のデイリーセットアップの前記センター光量が、光エネルギー換算でイニシャルセットアップ時の１／ｂ（ｂ＞１）未満となるまで減少したときに、セットアップ作業が適正に行われなかったと判断する。
このセットアップ作業自体の不具合の原因としては、例えば、測色装置３０が校正不良であった場合、測色装置３０においてテストプリントの搬送異常が発生してテストプリント上での濃度階調の位置を誤認識した場合、あるいは、テンストプリントが何らかの理由で汚れていた場合等がある。
【００２５】
〔判定３〕
上記判定３も、イニシャルセットアップでの前記センター光量の保存データと、各回のデイリーセットアップでの前記センター光量の保存データとを、各露光色毎に対比判断する。
判定３の具体的な判断は、各露光色のいずれもが、判定対象の回のデイリーセットアップの前記センター光量が、光エネルギー換算でイニシャルセットアップ時のｃ倍（ｃ＞１）を超える増加となったときに、現像処理装置２３の処理液が劣化しているものと判断する。
これは、レーザ光源４０ｒ，４０ｇ，４０ｂのいずれもが同時に劣化してしまうことは考えにくいのに対し、現像処理液の劣化であればそのような状況となり易いことによるものである。
【００２６】
〔判定４〕
上記判定４は、各回のデイリーセットアップでの前記センター光量の保存データ自体が、異常に高いか否かによって判断する。
例えば、適当な基準値を各露光色毎に予め設定しておき、各露光色のいずれかが、判定対象の回のデイリーセットアップの前記センター光量が、前記基準値のｄ倍（ｄ＞１）を超えたときに、そのｄ倍を超えた露光色のレーザ光源に不具合が発生していると判断する。
【００２７】
〔判定５)
上記判定５は、時系列で連続する２回分のデイリーセットアップでの前記センター光量の保存データを対比して、いずれかの露光色において両データが極端に変化したときに、レーザ光源が不良であるか、あるいは、セットアップ作業が適正に行われなかったと判断する。
具体的には、各露光色のいずれかが、判定対象の回のデイリーセットアップの前記センター光量が、光エネルギー換算で前回のデイリーセットアップ時のｅ倍（ｅ＞１）を超える増加となったときに、あるいは１／ｆ（ｆ＞１）未満となるまで減少したときに、レーザ光源が不良であるか、あるいは、セットアップ作業が適正に行われなかったと判断する。
【００２８】
上記判定１〜判定５において、「ａ倍」は数倍程度に設定すれば良い。
又、ａ＞ｂ，ａ＞ｃ，ａ＞ｅ，ａ＞ｆと設定し、ｂ，ｃ，ｅ，ｆは同程度の値とするのが好ましい。
更に、上記「ｄ」については、正常に動作している状態で前記センター光量の値を多数蓄積し、その蓄積データの統計処理により、正常な前記センター光量の分布から十分離れた値となるように設定すれば良い。
【００２９】
〔具体的な異常解析処理手順〕
次に、上記異常解析のための主制御装置２７の処理を、図６及び図７のフローチャートに基づいて説明する。
図６及び図７の処理が開始されると、該当するファイルを読み出して、そのファイルからイニシャルセットアップ時に保存した前記センター光量のデータを取得し（ステップ＃１１）、次に、判定対象の回とそれの前回のデイリーセットアップ時に保存した前記センター光量のデータ（すなわち、連続する２回分のデータ）を取得する（ステップ＃１２）。
この後、上記判定１〜判定５について、よりトラブルの度合いの大きいものを優先して判断処理していく。すなわち、上記判定５（ステップ＃１３，＃１４，＃１５）、上記判定４（ステップ＃１６，＃１７）、上記判定３（ステップ＃１８，＃１９）、上記判定２（ステップ＃２０，＃２１）、上記判定１（ステップ＃２２，＃２３）の順序で判断処理を行う。
これを、デイリーセットアップの時系列の順序で各保存データについて繰り返し実行し（ステップ＃２４，＃２５）、異常が見つからなかった場合（ステップ＃２６）も含めて、モニタ２７ａに判断結果を表示する（ステップ＃２７）。
【００３０】
従って、主制御装置２７は、テストプリントを作製することにより露光ヘッド２１の露光動作を調整する露光管理手段ＥＣとして機能すると共に、前記装置調整関連情報の蓄積データに基づいて、装置の異常原因を推定する異常解析手段ＥＡとして機能する。
【００３１】
〔別実施形態〕
以下、本発明の別実施形態を列記する。
（１）上記実施の形態では、テストプリントを測色装置３０にて測色して、その結果得られる前記装置調整関連情報を記録保存する場合を例示しているが、テストプリントを濃度測定装置にて濃度測定して、その結果得られる前記装置調整関連情報を記録保存するようにしても良い。
（２）上記実施の形態では、写真プリント上での基準濃度として濃度階調の中央値を例示して説明しているが、必ずしも中央値である必要はなく、データの比較を行う上で十分な精度を確保できる範囲で適宜に変更可能である。
【００３２】
（３）上記実施の形態では、装置の異常原因の解析に利用する前記装置調整関連情報として、前記センター光量を記録保存する場合を例示しているが、例えば、テストプリントの測色データあるいは濃度測定データをそのまま記録保存するように構成しても良い。
（４）上記実施の形態では、露光ヘッド２１の露光形式として、レーザ光源を備えるレーザ露光方式を例示しているが、例えば、ＬＥＤチップを光源として配列したＬＥＤアレイ形式等、種々の露光形式に本発明を適用できる。
【図面の簡単な説明】
【００３３】
【図１】本発明の実施の形態にかかる露光・現像装置の概略構成図
【図２】本発明の実施の形態にかかるフィルムスキャナの概略構成図
【図３】本発明の実施の形態にかかる露光ヘッドの概略構成図
【図４】本発明の実施の形態にかかる写真プリント装置の外観斜視図
【図５】本発明の実施の形態にかかるフローチャート
【図６】本発明の実施の形態にかかるフローチャート
【図７】本発明の実施の形態にかかるフローチャート
【符号の説明】
【００３４】
２１  露光ヘッド
２３  現像処理装置
ＥＡ  異常解析手段
ＥＣ  露光管理手段
ＰＳ  写真感光材料
【図１】
2005215098.tif 000003
【図２】
2005215098.tif 000004
【図３】
2005215098.tif 000005
【図４】
2005215098.tif 000006
【図５】
2005215098.tif 000007
【図６】
2005215098.tif 000008
【図７】
2005215098.tif 000009